(57)【要約】【課題】ピストン作動用スプリングの蓄圧を十分に確保して小型軽量化する。【解決手段】ピストンロッド３１の一端に固定され、銃身２のシリンダ２１内に収容したピストン３をハンドル６で後退させることによりピストン作動用スプリング４を蓄圧させてシアー７で係止し、トリガー８の操作で係止を解除してピストンを押圧前進させ、先端口２８に装填したコルク弾２９を発射する射的銃であって、シアーはレバー７１の一端に、ロッド３１の他端に固定したストッパー部材５に形成した環状の係合凹部５１と係合する係合爪部７２を有し、銃身の摺動案内管２２の下部側にレバーの中間部を揺動自在に支持させると共に爪部を管２２内の後部側へ係入するようにバネ７３で付勢して設けてある。トリガーはレバーの他端部と係合させて回動自在に支持させて設けられ、トリガーの引き操作でレバーを押動して爪部の凹部との係合を解除する。【選択図】図２
0003113849.tif 000002
【実用新案登録請求の範囲】
【請求項１】
銃身の前半部側で形成されたシリンダ内に進退自在に設けたピストンと、
前記ピストンに作用させて前記シリンダ内に設け、ピストンを後退させたときに蓄圧されるピストン作動用スプリングと、
環状の係合凹部を有し、一端側に前記ピストンを固定したピストンロッドの他端部に固定して設けたストッパー部材と、
前記ロッドを介してピストンを後退操作するハンドルと、
銃身の後半部側で形成された摺動案内管に位置させて設けられ、ピストンを所定位置まで後退させたときにピストンを係止させるシアーと、
前記シアーを操作するトリガーとを備え、
前記トリガーを操作することによりピストンの前記係止を解除して前記スプリングのバネ圧でピストンを押圧前進させ、前記シリンダの先端口に圧入して装填したコルク弾を発射させる射的銃であって、
前記シアーは、所定長さのレバーと、このレバーの一端に形成され、前記凹部に係脱自在に係合する係合爪部を有し、前記爪部の先端部を前記案内管内の所定部へ係入・脱出させるように、前記レバーの中間部を揺動自在に支持させると共にバネで前記爪部の先端部を前記管内へ係入させるように付勢せしめて設けてあり、
前記トリガーは、前記レバーの他端部と係合させて回動自在に支持させて設けてあり、
前記トリガーを引き操作することにより、前記レバーの他端部側を押動して前記爪部を前記管内から脱出させるように構成したことを特徴とする、
射的銃。
【請求項２】
請求項１に記載の射的銃において、前記ハンドルは前記ロッドに軸方向へ移動自在に軸装した摺動部材に固設されていると共に前記ストッパー部材と前記摺動部材との間に復帰用のスプリングが介装して設けてあることを特徴とする、射的銃。
【請求項３】
シアーの係合爪部は、ストッパー部材と対面する側の面部をアール面に形成されていることを特徴とする、請求項１又は２に記載の射的銃。
【考案の詳細な説明】
【技術分野】
【０００１】
本考案は射的ゲームに使用する射的銃に関する。さらに詳しくは、銃身の先端口に圧入して装填したコルク弾を標的に向けて発射する射的銃に関する。
【背景技術】
【０００２】
従来の射的銃として、図８に示す構成のものが一般に知られている。以下、この従来の射的銃について図８を参照して説明する。図８において、１００は銃床、１０１は銃床１００に固定して取付けた銃身で、銃身１０１は前半部側で形成したシリンダ１０１ａと、後半部側で形成した摺動案内管１０１ｂとを備えて構成されている。
１０２はピストンロッドで、ロッド１０２の先端側にはシリンダ１０１ａ内に進退自在に収容したピストン（図示せず）が固定して設けてあると共にロッド１０２の後端部にはストッパー部材１０３が固定して設けてある。ロッド１０２は銃身１０１の中間部、即ち、案内管１０１ｂ内の先端部にネジ１０４ｂで固定して設けた中間受け部材１０４を貫通させて銃身１０１内を軸方向ヘ移動自在に設けてある。
【０００３】
１０５はピストンに作用させてピストンと受け部材１０４との間に介装して設けたピストン作動用スプリングで、スプリング１０５はピストンを後退したときに蓄圧される。ストッパー部材１０３はピストンを後退したときに後述するシアーと係合する環状の係合凹部１０６を有している。
１０７はロッド１０２を介してピストンを後退操作するハンドルで、ハンドル１０７はストッパー部材１０３と一体形成した取付部材１０８に固定して突設され、案内管１０１ｂに軸方向に形成したガイド溝１０９に沿って移動自在に構成されている。
【０００４】
１１０はトリガーで、トリガー１１０は上端部を案内管１０１ｂの後端に固定した蓋部材１１１にピン１１２で回動自在に支持させて設けてある。１１３はトリガー１１０の前方側に固定して設けたシアーで、シアー１１３は前記管１０１ｂの近くに位置させてトリガー１１０の前方側へ突出した所定長さのアーム１１４と、アーム１１４の先端に形成され、前記凹部１０６に係脱自在に係合する係合爪部１１５を有し、トリガー１１０を回動することに爪部１１５の先端部を前記１０１ｂに設けた孔１１６を通して前記管１０１ｂ内へ係入・脱出させるように構成してある。１１７はトリガースプリングで、このスプリング１１７でトリガー１１０を、前記爪部１１５が前記管１０１ｂ内へ係入させるように回動する方向へ付勢せしめてある。これにより、前記爪部１１５はスプリング１１７のバネ作用により押圧されて前記管１０１ｂ内へ係入するように構成してある。
図８において、１１８は照星、１１９は照門、１２０は取付用ネジ管を示す。
【０００５】
図８に示す従来の射的銃は上記のように構成され、ハンドル１０７を操作し、ピストンをスプリング１０５に抗して後退させることにより、所定の位置で爪部１１５がストッパー部材１０３の凹部１０６に係合し、その位置でピストンは係止され、スプリング１０５は蓄圧される。
そして、銃身１０１の先端口（シリンダ１０１ａの先端口）にコルク弾（図示せず）を圧入して装填する。この状態でトリガー１１０を引くことにより、爪部１１５の係合は解除され、スプリング１０５のバネ圧でピストンを押圧前進させ、コルク弾を発射する。
【０００６】
ところで、上述した構成の射的銃を長年に亘り広く一般に使用されているが、この従来の射的銃は銃身及び銃床のサイズが長いため、重量が重くなると共に保管スペースが大きくなる。そこで、射的銃を小型かつ軽量化する技術の開発が要望されている。
しかるに、上述した構成の射的銃の銃身及び銃床の長さを短くすると次のような問題が生じる。即ち、従来例はトリガーとシアーが一体形成され、シアーがトリガーの前方側に位置する構成になっている。そのため、トリガーを操作しやすい位置に配置すると、ピストンのストロークが短くなり、ピストン作動用スプリングの蓄圧が十分に確保できなくなる。スプリングの蓄圧が弱くなると、コルク弾の発射力が弱くなってしまうことになる。
【０００７】
また、上述した従来例は、ハンドル１０７をピストンロッド１０２に取付部材１０８で固定して設けてある。そのため、トリガーを引くとハンドルもスプリングのバネ圧でロッド１０２と一体的に前進することになる。その結果、ハンドルの衝撃を受けてユーザーが腕や指等を損傷する問題が生じる恐れを有している。
【考案の開示】
【考案が解決しようとする課題】
【０００８】
本考案は上記のように鑑み、ピストン作動用スプリングの蓄圧を十分に確保して小型軽量化し得る射的銃を提供することを目的とするものである。
【課題を解決するための手段】
【０００９】
上記目的を達成するため、本考案のうちの１つの考案（第１の考案）は、銃身の前半部側で形成されたシリンダ内に進退自在に設けたピストンと、前記ピストンに作用させて前記シリンダ内に設け、ピストンを後退させたときに蓄圧されるピストン作動用スプリングと、環状の係合凹部を有し、一端側に前記ピストンを固定したピストンロッドの他端部に固定して設けたストッパー部材と、前記ロッドを介してピストンを後退操作するハンドルと、銃身の後半部側で形成された摺動案内管に位置させて設けられ、ピストンを所定位置まで後退させたときにピストンを係止させるシアーと、前記シアーを操作するトリガーとを備え、前記トリガーを操作することによりピストンの前記係止を解除して前記スプリングのバネ圧でピストンを押圧前進させ、前記シリンダの先端口に圧入して装填したコルク弾を発射させる射的銃であって、前記シアーは、所定長さのレバーと、このレバーの一端に形成され、前記凹部に係脱自在に係合する係合爪部を有し、前記爪部の先端部を前記案内管内の所定部へ係入・脱出させるように、前記レバーの中間部を揺動自在に支持させると共にバネで前記爪部の先端部を前記管内へ係入させるように付勢せしめて設けてあり、前記トリガーは、前記レバーの他端部と係合させて回動自在に支持させて設けてあり、前記トリガーを引き操作することにより、前記レバーの他端部側を押動して前記爪部を前記管内から脱出させるように構成したことを特徴とする。
【００１０】
上記のように構成すると、ストッパー部材の係合凹部と係合させるシアーの係合爪部を銃身の後端部近くに位置させて配置することができる。そのため、ピストンのストローク、したがって前記凹部と爪部との間の距離を長くすることができるので、スプリングの蓄圧を十分に確保することが可能になる。
【００１１】
本考案のうち他の１つの考案（第２の考案）は第１の考案の射的銃において、前記ハンドルは前記ロッドに軸方向へ移動自在に軸装した摺動部材に固設されていると共に前記ストッパー部材と前記摺動部材との間に復帰用のスプリングが介装して設けてあることを特徴とする。
【００１２】
上記のように構成すると、ハンドルを操作してピストンをスプリングに抗して後退させると、所定の位置でシアーの前記爪部がストッパー部材の係合凹部に係合し、スプリングのバネ圧を蓄圧してピストンを係止する。そして、ハンドルから手を離すと、前記状態を保持したまま、摺動部材及びハンドルは復帰用のスプリングの作用により元の位置へ移動（前進）して復帰する。したがって、トリガーを引いた際にハンドルは停止しているので上述したハンドルの衝撃による危険性の問題を解消することができる。
【００１３】
第１及び第２の考案において、シアーの係合爪部は、ストッパー部材と対面する側の面をアール面に形成する構成を採用することができる。この構成を採用すると、係合爪部の係合凹部への係脱作用が円滑良好になる。
【考案の効果】
【００１４】
本考案によれば、ピストン作動用スプリングの蓄圧を十分に確保して小型軽量化し得る射的銃を提供することができる。また、第２の考案によれば、前記効果に加え、トリガーを引いた際にハンドルの衝撃を受けてユーザーが腕や指を損傷する危険性を解消することができる。
【考案を実施するための最良の形態】
【００１５】
以下、図面を参照して本考案の射的銃の最良の実施の形態の一例を説明する。
【００１６】
図１は本考案の射的銃の一実施の形態を示す側面図と平面図、図２は同上射的銃の縦断面図、図３は同上射的銃の後半部分を拡大して示す縦断面図、図４は同上射的銃のピストン作用部分を拡大して示す説明図、図５は図２のＡ−Ａ線拡大断面図、図６はストッパー部材とシアーの部分を拡大して作用を説明するために示す説明図、図７はハンドルの作用部分を拡大して示す説明図である。
【００１７】
上記図１ないし図７において、この実施の形態の射的銃は銃床１と、銃身２と、ピストン３と、ピストン作動用スプリング４と、ストッパー部材５と、ハンドル６と、シアー７、及びトリガー８とを備えている。
【００１８】
前記銃床１は木材等で構成され、銃身２を取付ける取付台部１１と、取付台部１１の下部に固定して設けたグリップ１２とを備えている。銃床１は上述した従来の射的銃の銃床の約半分程度の長さに形成されている。１３は銃床１に固定して設けたトリガーガードを示す。
【００１９】
前記銃身２は前半部側で形成したシリンダ２１と後半部側で形成した摺動案内管２２とを備えて構成され、案内管２２を取付台部１１の上部側に固定して装着されている。この実施の形態では案内管２２の後端に固定して設けた蓋部材２３と案内管２２の先端側下部に固定して設けた取付用ネジ管２４にネジ１４，１５を螺合し、締付けて固定してある（図２参照）。前記シリンダ２１は上述した従来の射的銃のシリンダに比べて短尺（従来のシリンダの約３／４程度の長さ）に形成されている。
銃身２の中間部、即ち、この実施の形態では案内管２２内の先端部に、後述するピストンロッド３１を貫挿する孔を有する中間受け部材２５がネジ２６により固定して設けてある。また、案内管２２の側面には後述するハンドル案内用のガイド溝２７が長手方向に向けて開設してある。
【００２０】
前記ピストン３は皮材等で構成され、適当な長さのピストンロッド３１の一端側（図において先端側）に軸装してナット部材３２，３３で挟ませてロッド３１に固定して設けてある。ピストン３は前記ロッド３１を前記受け部材２５を貫通させてシリンダ内にロッド３１と一体的に進退自在に設けてある。
【００２１】
前記ピストン作動用スプリング４は前記受け部材２５とピストン３との間に介装し、ピストン３に作用させてシリンダ２１内に設けてあり、ピストン３を後退させたときに圧縮して蓄圧させるように構成してある。これにより、ピストン３を後退させたときにスプリング４は圧縮して蓄圧され、圧縮状態を開放することによりスプリング４のバネ圧でピストン３を押圧前進させるように構成してある。
また、ピストン３を後退した状態で銃身２の先端口２８（シリンダ２１の先端口）にコルク弾２９（図２参照）を圧入して装填し、スプリング４の圧縮状態を解除することによりスプリング４のバネ圧でピストンを押圧前進してピストンとコルク弾２９との間のシリンダ２１内の空気を圧縮し、この空気圧によってコルク弾２９を発射させるように構成してある。前記スプリング４は適当な強度のバネ圧を有するコイルスプリングで構成されている。
【００２２】
前記ストッパー部材５は、環状の係合凹部５１を有し、前記ロッド３１の他端部（図において後端部）に軸装固定して設けられている。ストッパー部材５の先端、即ち、ロッド３１の後端側は円錐部５２に形成されている。また、ストッパー部材５の後半部（円錐部５２と反対側の部分）には後述する復帰用のスプリング６２を収容する収容部５３が形成されている。
【００２３】
前記ハンドル６は、ストッパー部材５と前記受け部材２５との間に位置させてロッド３１に軸方向へ移動自在に軸装した摺動部材６１に突出固定（図示では摺動部材６１と一体的形成）して設けてある。ハンドル６は前記管２２に設けたガイド溝２７を通して先端側を前記管２２外に突出させ、ガイド溝２７に沿って軸方向に移動自在になるように設けてある。
【００２４】
前記ストッパー部材５の収容部５３と摺動部材６１との間には復帰用のスプリング６２が介装して設けてある。このスプリング６２は摺動部材６１を押圧して摺動し、元の位置に復帰させるもので、適当なバネ圧を有するコイルスプリングで構成されている。前記スプリング６２は上述したように摺動部材６１を元の位置に復帰させるためのもので、このスプリング６２は前記作用を備えるようにバネ圧を設定する。この場合、スプリング６２のバネ圧は必要以上に強くすることは好ましくない。
【００２５】
上記構成により、図７（ａ）に詳細に示すように、ハンドル６を手で操作してピストン３をスプリング４に抗して所定の位置まで後退させると、ストッパー部材５の前記凹部５１にシアー７の後述する係合爪部７２の先端部が係合し、スプリング４のバネ圧を蓄圧させてピストン３を、その位置に係止させる。そして、この状態でハンドル６から手を離すことにより、図７（ｂ）に詳細に示すように、前記状態を保持したまま、摺動部材６１及びハンドル６は復帰用のスプリング６２の作用で押圧されて前進し、元の位置に復帰する。
【００２６】
前記シアー７は、銃身２の前記案内管２２の図において下部側に位置させて設け、ピストン３を所定位置まで後退させたときにピストン３を係止させるものである。シアー７は、所定長さのレバー７１と、このレバー７１の一端に形成され、前記凹部５１に係脱自在に係合する係合爪部７２を有し、爪部７２の先端部を案内管２２内の所定部へ係入・脱出させるように、レバー７１の中間部を揺動自在（シーソー状）に支持させると共にバネ７３で爪部７２の先端部を前記管２２内へ係入させるように付勢せしめて設けてある。
【００２７】
この実施の形態では、適当な間隔を存して相対向した一対の支持板７５ａ，７５ｂを有し、前記管２２の図において外側下部に固着して設けた支持部材７４を備えている。そして、前記爪部７２を前記管２２の後端部近くに開設した孔７６の部位に位置させて、レバー７１の中間部をネジ７７等で前記両板７５ａ，７５ｂに回動自在（揺動自在）に支持させて設けてある。これにより、シアー７はネジ７７等を支点として、レバー７１が揺動し、孔７６を通じて爪部７２の先端部が前記管２２内へ係入し、また、前記管２２内から脱出するようになっている。
【００２８】
また、実施の形態の前記バネ７３は、適当な太さ及び長さの金属製等のピンバネで構成されている。このバネはバネ材の略中央部に円形にカールした円形バネ部７３ａ形成し、このバネ部７３ａに延設して適当な長さの一対のバネ片７３ｂ，７３ｃを形成してなっている。
そして、前記バネ部７３ａをレバー７１の略中央部の下方部側に位置させて配置し、一方のバネ片７３ｂの先端部を支持部材７４の下端に形成した支持部７８に係合して支持させると共に他方のバネ片７３ｃの先端部側をレバー７１の下面に当接し、バネ作用により、レバー７１の爪部７２側に押圧力を付与するように設けてある。これにより、シアー７はバネ７３により押圧され、爪部７２の先端を孔７６を通じて前記管２２内に係入するように構成してある。図において、７３ｄは他方のバネ片７３ｃの略中央部を円形にカールして形成したサブバネ部、７９は円形バネ部７３ａ内の適当部に位置させ、支持部材７４の両板７５ａ，７５ｂ間に架橋して設けたネジ部材を示す（図３参照）。
なお、この実施の形態の前記バネ７３はピンバネで構成した例を開示したが、このバネ７３はピンバネに代えて板バネ等のバネを採用することも勿論可能である。
【００２９】
上記構成により，ハンドル６を操作してピストン３をスプリング４に抗して所定の位置まで後退させると、ストッパー部材５の円錐部５２の円錐壁面により爪部７２がバネ７３に抗して弾性的に押圧されて前記管２２の外側方向へ押動される。そして、円錐部５２が爪部７２の位置を通過した時点でバネ７３の作用によって爪部７２の先端部が再び前記管２２内に入り、ストッパー部材５の前記凹部５１に係合する。これにより、スプリング４は圧縮して蓄圧された状態でピストン３が係止する。そして、トリガー８を引くことにより爪部７２の前記係合は解除され、スプリング４のバネ圧でピストン３を押圧して前進させる。
なお、この実施の形態では、シアー７の爪部７２は、図６に最も詳細に示すように、爪部７２の先端部におけるストッパー部材と対面する側の角部をアール面７２ａに形成されている。この構成を採用すると、爪部７２の係合凹部５１に対する係脱作用が一層円滑良好に行なえる。
【００３０】
前記トリガー８は、シアー７のレバー７１の他端部と係合させて回動自在に支持させて設けてある。この実施の形態のトリガー８は、操作レバー８１と、このレバー８１の図において上端に一体形成して設けた作動部８２とを有して構成されている。
そして、作動部８２の図において後端側の上面をシアー７のレバー７１の他端側の下面に当接し、作動部８２の適当部をネジ８３等で支持部材７４の前記両板７５ａ，７５ｂに回動自在に支持させて設けてある。また、トリガー８は、作動部８２の図において先端側の面を支持部材７４の下端に形成した規制部８４に接離自在に当接するように設けてある。これにより、トガリー８は作動部８２が規制部８４に当接した時点で、それ以上の図において逆時計方向への回動を規制されるようになっている。
上記構成により、トリガー８を引き操作すると、作動部８２が時計方向に回動してシアー７のレバー７１の他端側を押動し、前記爪部７２を前記管２２内から脱出させる方向へ回動して爪部７２の先端部の前記凹部５１との係合を解除するようになっている。
上記図において、９１は照星、９２は照門を示す。
【００３１】
この実施の形態の射的銃は上記のように構成され、ハンドル６を操作してピストン３を後退してストッパー部材５の前記凹部５１に前記爪部７２の先端部を係合してピストン３を係止させる。そして、銃身２のシリンダ２１の先端口２８にコルク弾２９を圧入して装填する。この状態でトリガー８を引き操作することにより爪部７２の前記係合を解除してコルク弾２９を標的に向けて発射するものである。
【００３２】
なお、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００３３】
【図１】本考案の射的銃の一実施の形態を示すものであって、同図（ａ）は側面図、同図（ｂ）は平面図である。
【図２】同上射的銃の縦断面図であって、銃床部分は仮想線で示す。
【図３】同上射的銃の後半部分を拡大して示す縦断面図である。
【図４】同上射的銃のピストン作用部分を拡大して示す説明図である。
【図５】図２のＡ−Ａ拡大線断面図である。
【図６】同上射的銃のストッパー部材とシアーの部分を拡大して作用を説明するために示す説明図である。
【図７】同上射的銃のハンドルの作用部分を拡大して示す説明図であって、同図（ａ）はハンドルを操作してピストンを後退させ、シアーの係合爪部をストッパー部材の係合凹部に係合させた状態を示す説明図、同図（ｂ）は同図（ａ）の状態でハンドルから手を離した状態を示す説明図である。
【図８】従来の射的銃を示す図であって、同図（ａ）は全体構成の側面図、同図（ｂ）はトリガーの部分を拡大して示す説明図、同図（ｃ）はストッパー部材の部分を拡大して示す説明図、同図（ｄ）は同図（ｃ）のＢ−Ｂ線断面図である。
【符号の説明】
【００３４】
２      銃身
３      ピストン
４      ピストン作動用スプリング
５      ストッパー部材
６      ハンドル
７      シアー
８      トリガー
２１    シリンダ
２２    摺動案内管
２８    シリンダの先端口
２９    コルク弾
３１    ピストンロッド
５１    環状の係合凹部
６１    摺動部材
６２    復帰用のスプリング
７１    レバー
７２    係合爪部
７３    バネ
【図１】
0003113849.tif 000003
【図２】
0003113849.tif 000004
【図３】
0003113849.tif 000005
【図４】
0003113849.tif 000006
【図５】
0003113849.tif 000007
【図６】
0003113849.tif 000008
【図７】
0003113849.tif 000009
【図８】
0003113849.tif 000010
【手続補正書】
【提出日】平成17年7月1日(2005.7.1)
【手続補正１】
【補正対象書類名】明細書
【補正対象項目名】０００８
【補正方法】変更
【補正の内容】
【０００８】
本考案は上記のような実情に鑑み、ピストン作動用スプリングの蓄圧を十分に確保して小型軽量化し得る射的銃を提供することを目的とするものである。